(57)【要約】【課題】  簡単な構成により、小型に且つ低コストで構成することができると共に、ドア閉鎖時における人の手指等の挟み込みを防止することができる蝶番及びドア構造を提供する。【解決手段】  ドア枠１１に対してドア１２を揺動可能に支持する蝶番２０であって、ドア枠の一側の端面１１ａに取り付けられる枠取付部２１と、ドア１２の端面１２ａに取り付けられ、枠取付部に対して旋回軸２２の周りに揺動可能に支持されるドア取付部２３と、を有し、ドアの閉鎖状態で、枠取付部のドア枠への取付部分とドア取付部のドアへの取付部分とが互いに離間して、ドアの端面とドア枠との間に間隙１３を画成するように、蝶番２０を構成する。【選択図】  図１
2012097523.tif 000002
【特許請求の範囲】
【請求項１】
ドア枠に対してドアを揺動可能に支持する蝶番であって、
前記ドア枠の一側の端面に取り付けられる枠取付部と、前記ドアの端面に取り付けられ、前記枠取付部に対して旋回軸の周りに揺動可能に支持されるドア取付部と、を有し、
前記ドアの閉鎖状態で、前記枠取付部の前記ドア枠への取付部分と前記ドア取付部の前記ドアへの取付部分とが互いに離間して、前記ドアの端面と前記ドア枠との間に間隙を画成する
ことを特徴とする、蝶番。
【請求項２】
前記ドアの閉鎖状態で、前記枠取付部及び前記ドア取付部の少なくとも一方における前記旋回軸に連接された領域が、他方から離れる方向に凸状に湾曲または屈折して形成されている、請求項１に記載の蝶番。
【請求項３】
前記ドアの閉鎖状態で、前記枠取付部における前記旋回軸と前記ドア枠への取付部分との中間部と、前記ドア取付部における前記旋回軸と前記ドアへの取付部分との中間部が、互いに離れる方向に凸状に湾曲または屈折して形成されている、請求項１に記載の蝶番。
【請求項４】
ドア枠と、ドア枠に対して請求項１から３のいずれかに記載の蝶番により揺動可能に支持されたドアと、を有し、前記ドアの閉鎖状態で、前記ドアの端面と前記ドア枠との間に形成される間隙内に、弾性材料から成る緩衝部材を備えた、
ドア構造。
【発明の詳細な説明】
【技術分野】
【０００１】
本発明は、開口部のドア枠に対して開閉可能にドアを枢支し、ドア閉鎖時における人の手指等の挟み込みを防止する蝶番及びドア構造に関するものである。
【背景技術】
【０００２】
従来、例えば住宅の玄関等の開口部を画成するドア枠の一側に蝶番により揺動可能に支持されたドアにおいて、ドアの閉鎖時におけるドアとドア枠との間での人の手指等の挟み込みを防止するために、ドア閉鎖速度を抑制する所謂ダンパー機能付き蝶番が知られている。
このようなダンパー機能付き蝶番は、ドアがドア枠に対して閉鎖位置まで移動する際に、ドアの閉鎖速度を抑制して、一定速度以下の閉鎖速度でゆっくりと閉鎖させる。これにより、ドア閉鎖時におけるドアとドア枠との間での人の手指等の挟み込みを効果的に防止すると共に、ドアがドア枠に衝突して大きな音を発生させることを防止する。
【０００３】
ダンパー機能付き蝶番としては、いわゆる油圧ダンパーを備えた蝶番が知られている。油圧ダンパー付き蝶番は、油圧ダンパーの作用に基づいて、ドア閉鎖速度を確実に抑制し、一定速度以下のドア閉鎖速度を実現することが可能である。
【発明の概要】
【発明が解決しようとする課題】
【０００４】
しかしながら、このような油圧ダンパー付き蝶番においては、油圧ダンパー自体大きく、蝶番内に油圧ダンパーを備えるためには、蝶番も大型化してしまう。
また、蝶番内における油圧ダンパーの占有スペースが大きく、蝶番取付時における三軸方向の位置調整のための機構の配置の自由度が小さくなってしまう。
さらに、このような油圧ダンパー付き蝶番においては、部品点数が多くなると共に、油圧ダンパー自体も比較的高価であることから、コストが高くなってしまう。
【０００５】
本発明は、以上の点に鑑み、簡単な構成により、小型に且つ低コストで構成することができると共に、ドア閉鎖時における人の手指等の挟み込みを防止することができる蝶番及びドア構造を提供することを目的としている。
【課題を解決するための手段】
【０００６】
上記目的は、本発明の第一の構成によれば、ドア枠に対してドアを揺動可能に支持する蝶番であって、ドア枠の一側の端面に取り付けられる枠取付部と、ドアの端面に取り付けられ、枠取付部に対して旋回軸の周りに揺動可能に支持されるドア取付部と、を有し、ドアの閉鎖状態で、枠取付部のドア枠への取付部分とドア取付部のドアへの取付部分とが互いに離間して、ドアの端面とドア枠との間に間隙を画成することを特徴とする、蝶番により、達成される。
【０００７】
本発明による蝶番は、好ましくは、ドアの閉鎖状態で、枠取付部及びドア取付部の少なくとも一方における旋回軸に連接された領域が、他方から離れる方向に凸状に湾曲または屈折して形成されている。
【０００８】
本発明による蝶番は、好ましくは、ドアの閉鎖状態で、枠取付部における旋回軸とドア枠への取付部分との中間部と、ドア取付部における旋回軸とドアへの取付部分との中間部が、互いに離れる方向に凸状に湾曲または屈折して形成されている。
【０００９】
上記目的は、本発明の第二の構成によれば、ドア枠と、ドア枠に対して上述した蝶番により揺動可能に支持されたドアと、を有し、ドアの閉鎖状態で、ドアの端面とドア枠との間に形成される間隙内に、弾性材料から成る緩衝部材を備えた、ドア構造により達成される。
【発明の効果】
【００１０】
上記構成によれば、ドアはドア枠に対して蝶番を介して、その旋回軸の周りに揺動可能に支持されている。
ここで、ドアが閉じられると、ドアの閉鎖に伴って、蝶番のドア取付部が旋回軸の周りに揺動して、閉鎖位置に移動する。
この閉鎖位置において、ドア取付部のドアへの取付部分は、枠取付部のドア枠への取付部分に対して離間しており、その間に間隙を画成する。
従って、ドアの閉鎖時において、ドアを閉鎖する人または第三者が、不注意等によりドア枠の一側とドアの端面との間に手指等を入れていたとしても、上述した間隙があるので、手指等がドア枠の一側、すなわち蝶番側のある側の内面とドアの端面との間に挟み込まれて圧迫により怪我をしてしまうようなことがない。
【００１１】
この場合、手指等の挟み込み防止のために、従来のような油圧ダンパー等によるダンパー機能を必要とせず、ドアの閉鎖状態で、枠取付部及びドア取付部の少なくとも一方における旋回軸に連接された領域が他方から離れるように湾曲または屈折して形成され、あるいは、枠取付部における前記旋回軸と前記ドア枠への取付部分との中間部と、前記ドア取付部における前記旋回軸と前記ドアへの取付部分との中間部が、互いに離れる方向に凸状に湾曲または屈折して形成されるだけの構成によって、ドアの端面とドア枠との間に間隙を画成し、手指等の挟み込みを防止することができる。
【００１２】
また、上記第二の構成によれば、上述した蝶番によって、ドア閉鎖状態でのドアの端面とドア枠との間に形成される間隙内に、弾性材料から成る緩衝部材を備えていることにより、間隙が閉塞されるので、ドアがドア枠に対して気密的に閉鎖される。
【００１３】
このようにして、本発明によれば、簡単な構成により、小型に且つ低コストで構成することができると共に、ドア閉鎖時における人の手指等の挟み込みによる怪我を防止することができる蝶番及びドア構造を提供することができる。
【図面の簡単な説明】
【００１４】
【図１】本発明による蝶番の一実施形態を組み込んだドア構造の要部の構成を示す開放状態での概略斜視図である。
【図２】図１のドア構造における蝶番を示す拡大斜視図である。
【図３】図１のドア構造における要部を示す横断面図である。
【図４】図１のドア構造における閉鎖状態での概略斜視図である。
【図５】図４のドア構造における蝶番を示す拡大斜視図である。
【図６】図４のドア構造におけるドアとドア枠の間隙内への手指の進入状態を示す要部横断面図である。
【発明を実施するための形態】
【００１５】
図１は、本発明による蝶番の一実施形態を組み込んだドア構造の要部の構成を示している。
図１に示すように、ドア構造１０は、建物，家具等に設けられた開口部を画成するドア枠１１と、ドア枠１１に対して蝶番２０により揺動可能に支持されたドア１２と、蝶番２０が取り付けられるドア枠１１とドア１２との間にドア閉鎖時に形成される間隙１３内に備えられた緩衝部材１４と、から構成されている。
【００１６】
蝶番２０は、図２に示すように、ドア枠１１の一側、すなわち蝶番側に取り付けられる枠取付部２１と、このドア枠１１の一側に対向するドア１２の端面に取り付けられ、枠取付部２１に対して旋回軸２２の周りに揺動可能に支持されるドア取付部２３と、から構成されている。
【００１７】
枠取付部２１は、例えば板金により形成され、取付部分２１ａと、取付部分２１ａの軸側縁に隣接する基部２１ｂと、から構成されている。
取付部分２１ａは、平坦な形状を有しており、図１及び図３に示すように、ドア枠１１の一側、図示の場合右側の端面１１ａに当接した状態で、例えばネジにより端面１１ａ に固定される。
基部２１ｂは、同様に平坦な形状を有しており、取付部分２１ａに対して傾斜していると共に、その取付部分２１ａとは反対側の側縁が旋回軸２２に連接されている。
【００１８】
また、ドア取付部２３は、例えば板金により形成され、取付部分２３ａと、取付部分２３ａの軸側縁に隣接する基部２３ｂと、から構成されている。
取付部分２３ａは、平坦な形状を有しており、図１に示すように、ドア１２の一端面１２ａに当接した状態で、例えばネジにより固定される。
基部２３ｂは、同様に平坦な形状を有しており、取付部分２３ａに対して傾斜していると共に、その取付部分２３ａとは反対側の側縁が旋回軸２２に連接されている。
【００１９】
ここで、枠取付部２１の基部２１ｂ及びドア取付部２３の基部２３ｂは、それぞれ取付部分２１ａ，２３ａとの境界部分に沿って、複数箇所の連結部分２４，２５により取付部分２１ａ，２３ａに連結されている。連結部は溶接により形成される。
各基部２１ｂ，２３ｂは、それぞれ取付部分２１ａ，２３ａに対して、ドア閉鎖時に取付部分２１ａ，２３ａが互いに離れるように、角度を持って取り付けられており、すなわち、 枠取付部２１及びドア取付部２３は、各連結部分２４，２５を含む中間部が互いに離れる方向に凸状に屈折している。
【００２０】
旋回軸２２は、細長い円筒状の形状を有しており、一般的な蝶番における旋回軸とほぼ同様である。
即ち、旋回軸２２は、例えば枠取付部２１の基部２３ｂ及びドア取付部２３の基部２３ｂの一方に対して固定されると共に、他方に対して揺動可能に支持される。
【００２１】
緩衝部材１４は、上述した蝶番２０を構成する枠取付部２１とドア取付部２３の形状によりドア閉鎖時に形成される間隙１３内に配置されるように、ドア１２の一端面１２ａに沿って接着等により取り付けられている。
緩衝部材１４は、例えば弾性材料から構成されており、図示の場合、断面がＤ字状の中空構造を有している。
このため、ドア１２の閉鎖時に、緩衝部材１４は、間隙１３内で、ドア枠１１の一側の端面１１ａとドア１２の一端面１２ａとの間で圧縮された状態で、これらの端面１１ａ，１２ａに当接して、間隙１３を密閉する。
【００２２】
本発明によるドア構造１０及び蝶番２０は、以上のように構成されており、図１〜図３に示す開放状態からドア１２が閉鎖される場合、以下のように動作する。
即ち、まず図１〜図３に示す開放状態においては、ドア１２は開放しており、これに伴って、蝶番２０も開放位置に在る。
【００２３】
この状態から、ドア１２が閉じられると、ドア１２は、蝶番２０により揺動して、図４に示すように、閉鎖位置まで移動する。
その際、蝶番２０のドア取付部２３は、ドア１２の揺動に伴って、図５に示すように、揺動軸２２の周りに揺動して、閉鎖位置に達する。
【００２４】
このとき、緩衝部材１４は、ドア１２の閉鎖状態において、そのドア１２と反対側の先端がドア枠１１の端面１１ａに当接し、その弾性に抗して圧縮される。
これにより、緩衝部材１４は、ドア枠１１の端面１１ａに対して圧着して、間隙１３を密閉する。従って、ドア１２の端面１２ａとドア枠１１の端面１１ａとの間で、間隙１３を隙間風が通過するようなことはない。
【００２５】
また、ドア１２の閉鎖の際に、図６に示すように、ドア１２を閉めようとする人あるいは第三者が手指Ｆを蝶番２０の内側から間隙１３内に挿入してしまった場合、手指Ｆは、同様にして間隙１３内に在るので、ドア１２の端面１２ａとドア枠１１の端面１１ａとの間での挟み込みが防止される。さらに、緩衝部材１４は、その弾性に基づいて変形することによって、手指Ｆにかかる力が軽減される。
【００２６】
従って、ドア１２の閉鎖時に、ドア枠１１の端面１１ａとドア１２の端面１２ａの間におけるドアを閉めようとする人あるいは第三者の手指Ｆの挟み込みが確実に防止されるので、手指Ｆの挟み込みによる怪我が確実に防止される。
【００２７】
本発明はその趣旨を逸脱しない範囲において様々な形態で実施することができる。
例えば、上述した実施形態においては、蝶番２０の枠取付部２１及びドア取付部２３の基部２１ｂ，２３ｂは、それぞれ取付部分２１ａ，２３ａに対して連結部分２４，２５を介して連結されているが、これに限らず、各基部２１ｂ，２３ｂは、それぞれ対応する取付部分２１ａ，２３ａと一体に形成されていてもよく、また、基部２１ｂ，２３ｂが平面ではなく湾曲面として形成されていてもよい。さらに、各基部２１ｂ，２３ｂ及び対応する取付部分２１ａ，２３ａが、折り曲げ線に沿って前もって分割して形成され、且つ複数箇所の連結部分２４，２５で連結されるよう形成することもでき、この場合、連結部分２４，２５における折り曲げ加工を容易に行なうことが可能である。
【００２８】
上述した実施形態においては、蝶番２０の枠取付部２１及びドア取付部２３の基部２１ｂ，２３ｂは、それぞれ平坦に形成されているが、これに限らず、ドア１２の閉鎖状態において、枠取付部２１及びドア取付部２３の取付部分２１ａ，２３ａが互いに離間していれば、基部２１ｂ，２３ｂは他の形状であってもよく、例えば、各基部２１ｂ，２３ｂが互いに離れる方向に凸状に湾曲または屈折して形成されていてもよい。また、一方の基部２１ｂまたは２３ｂが、対応する取付部分２１ａ，２３ａと同一平面を形成していてもよい。
【００２９】
上述した実施形態においては、緩衝部材１４は、ドア１２の端面１２ａに取り付けられているが、これに限らず、ドア枠１１の端面１１ａに取り付けられていてもよい。
【００３０】
上述した実施形態においては、緩衝部材１４が中空に形成されているが、これに限らず、緩衝部材１４は、中実構造であってもよい。
【００３１】
以上述べたように、本発明によれば、簡単な構成により、小型に且つ低コストで構成することができると共に、ドア閉鎖時における人の手指等の挟み込みを防止することができる、極めて優れた蝶番及びドア構造が提供される。
【符号の説明】
【００３２】
１０    ドア構造
１１    ドア枠
１２    ドア
１３    間隙
１４    緩衝部材
２０    蝶番
２１    枠取付部
２１ａ  取付部分
２１ｂ  基部
２２    旋回軸
２３    ドア取付部
２３ａ  取付部分
２３ｂ  基部
２４，２５    連結部分
【図１】
2012097523.tif 000003
【図２】
2012097523.tif 000004
【図３】
2012097523.tif 000005
【図４】
2012097523.tif 000006
【図５】
2012097523.tif 000007
【図６】
2012097523.tif 000008